【手続補正書】
【提出日】平成15年6月23日(2003.6.23)
【手続補正１】
【補正対象書類名】明細書
【補正対象項目名】特許請求の範囲
【補正方法】変更
【補正の内容】
【特許請求の範囲】
【請求項１】
少なくとも一種の機能化または変性されたジエンポリマー並びにカーボンブラックを補強充填剤として含有するイオウ加硫ゴム組成物であって、機能化または変性されたジエンポリマーはアルコキシシラン誘導体により機能化または変性されたポリマーであること、及び前記ゴム組成物がさらに、アミンまたはイミン官能基を含む下記一般式Ｉで示される少なくとも一種のオルガノシラン化合物を含むことを特徴とする組成物。
Ｚ−Ｒ１−Ｓｉ（ＯＲ２）３−ｎ（Ｒ３）ｎ            （Ｉ）
式中、Ｚは一級アミン官能基、環状であっても環状でなくてもよい二級アミン、或いはイミン官能基またはポリアミン基を表し；Ｒ１はアルキレン、アリーレン、アルクアリーレンまたはアラルキレン基を表し、Ｒ２及びＲ３はそれぞれ同一でも異なっていてもよく、アルキル、アリール、アルクアリールまたはアラルキル基を表し、Ｒ１〜Ｒ３の各基は１〜１２炭素原子を有し；ｎは０、１及び２から選択された数字を表す。
【請求項２】
一般式ＩのＲ１〜Ｒ３の各基が１〜４炭素原子を有する基であることを特徴とする請求項１記載の組成物。
【請求項３】
一般式Ｉの化合物の基Ｒ２が１〜４の炭素原子を有する低級アルキル基であることを特徴とする請求項１記載の組成物。
【請求項４】
アルコキシシラン機能化されたジエンポリマーが一般式ＩＩで表されることを特徴とする請求項１〜３のいずれか一項に記載の組成物。
（Ｙ）−Ｒ５−Ｓｉ（ＯＲ４）２−Ｐ            （ＩＩ）
式中、Ｙは、ハロゲンまたはアルキル、エポキシ、グリシジルオキシ、ビニル或いはアリル基を表し；Ｒ５はアルキレン、アリーレン、アルクアリーレンまたはアラルキレン基を表し、Ｒ４はアルキル、アリール、アルクアリールまたはアラルキル基を表し、Ｒ４及びＲ５の各基は１〜１２炭素原子を有する；及びＰは、４〜１２炭素原子を有する共役ジエンモノマーの重合により得られたホモポリマー、及び一種以上の共役ジエンの相互共重合、または該共役ジエンと８〜２０炭素原子数を有する一種以上の芳香族ビニル化合物との共重合により得られたコポリマーからなる群から選択されるジエンポリマー鎖を表す。
【請求項５】
アルコキシシラン機能化されたジエンポリマーが３−グリシジルオキシプロピルトリメトキシシランまたは２−（３，４−（エポキシシクロヘキシル）エチルトリメトキシシランにより機能化されていることを特徴とする請求項４記載の組成物。
【請求項６】
ジエンポリマーがブタジエン−スチレンコポリマーまたはブタジエン−スチレン−イソプレンコポリマーであることを特徴とする請求項１〜５のいずれか一項に記載の組成物。
【請求項７】
カーボンブラックが全ての補強充填剤を表すことを特徴とする請求項１〜６のいずれか一項に記載の組成物。
【請求項８】
補強充填剤がカーボンブラックとシリカの混合物から形成されていることを特徴とする請求項１〜７のいずれか一項に記載の組成物。
【請求項９】
シリカが全充填剤の７０重量％以下であることを特徴とする請求項８に記載の組成物。
【請求項１０】
シリカが高分散性沈降シリカであり、ＣＴＡＢ表面積が４５０ｍ２／ｇ以下であることを特徴とする請求項８または９記載の組成物。
【請求項１１】
シリカのＢＥＴ比表面積が１００以上３００ｍ２／ｇ以下であり、及びＢＥＴ比表面積のＣＴＡＢ比表面積に対する比率が１．０以上１．２以下であることを特徴とする請求項１０記載の組成物。
【請求項１２】
改良されたヒステリシス特性を有するジエンエラストマーをベースとするイオウ加硫ゴム組成物の製造方法であって、タイヤ製造用ゴム組成物に慣用的に使用される補強充填剤を含む他の成分の全てを添加または導入する前に、アルコキシシランにより機能化または変性されたジエンエラストマー内に、熱動力的作用により、少なくとも一種の一般式Ｉで表されるオルガノシラン試薬を導入することを特徴とする方法。
Ｚ−Ｒ１−Ｓｉ（ＯＲ２）３−ｎ（Ｒ３）ｎ          （Ｉ）
式中、Ｚは一級アミン官能基、環状であっても環状でなくてもよい二級アミン若しくはイミン官能基またはポリアミン基を表し；Ｒ１はアルキレン、アリーレン、アルクアリーレンまたはアラルキレン基を表し、Ｒ２及びＲ３はそれぞれ同一でも異なっていてもよく、アルキル、アリール、アルクアリールまたはアラルキル基を表し、Ｒ１〜Ｒ３の各基は１〜１２炭素原子を有し；ｎは０、１及び２から選択された数字を表す。
【請求項１３】
一般式ＩのＲ１〜Ｒ３の各基が１〜４炭素原子を有する基であることを特徴とする請求項１２記載の方法。
【請求項１４】
オルガノシラン試薬を、熱動力的作用の前に機能化されたジエンエラストマー存在下に置き、次に熱動力的作用によりオルガノシラン試薬をエラストマー内に導入することを特徴とする請求項１２または１３記載の方法。
【請求項１５】
アルコキシシラン機能化または変性されたジエンエラストマーの熱動力的作用の初期工程の後に、オルガノシラン試薬をアルコキシシラン機能化または変性されたジエンエラストマーに加えること及びオルガノシラン試薬を熱動力的作用によりエラストマー内に導入することを特徴とする請求項１２または１３記載の方法。
【請求項１６】
アルコキシシラン誘導体により機能化または変性された少なくとも一種のジエンポリマーを含有するエラストマー、式Ｉのオルガノシラン及びカーボンブラックを熱動力的作用の第一工程に供し、加硫系以外の、タイヤ製造用のゴム組成物に慣用的に使用される他の成分を加え、及び熱動力的作用を適当な期間継続することを特徴とする請求項１２または１３記載の方法。
【請求項１７】
補強充填剤がカーボンブラックとシリカから形成される場合において、熱動力的作用の初期工程を行ったエラストマーに、式Ｉのオルガノシラン試薬、次にシリカ及び結合剤、次に油、及び最後にステアリン酸及び酸化防止剤と共にカーボンブラックを上記の順序で連続して加え、形成したエラストマーブロックを回収して冷却し、さらに、第二の熱動力的工程において、加硫系以外の、イオウ加硫ゴム組成物に慣用的に使用される他の成分を加えて、熱動力的作用により該成分を導入し、混合物を回収し、最終工程において、加硫系を導入し、加硫組成物を回収することを特徴とする請求項１５記載の方法。
【請求項１８】
少なくとも一種の機能化または変性されたジエンポリマー及び補強充填剤としてカーボンブラックまたはカーボンブラックとシリカの混合物を含むイオウ加硫可能なゴム組成物を含む、改良された耐ローリング性を有するタイヤであって、機能化または変性されたジエンポリマーが、アルコキシシラン誘導体で機能化または変性されたポリマーであり、さらに下記一般式Ｉで示されるアミンまたはイミン官能基を含む少なくとも一種のオルガノシラン化合物を含むことを特徴とするタイヤ。
Ｚ−Ｒ１−Ｓｉ（ＯＲ２）３−ｎ（Ｒ３）ｎ          （Ｉ）
式中、Ｚは一級アミン官能基、環状であっても環状でなくてもよい二級アミン若しくはイミン官能基またはポリアミン基を表し；Ｒ１はアルキレン、アリーレン、アルクアリーレンまたはアラルキレン基を表し、Ｒ２及びＲ３はそれぞれ同一でも異なっていてもよく、アルキル、アリール、アルクアリールまたはアラルキル基を表し、Ｒ１〜Ｒ３の各基は１〜１２炭素原子を有し；ｎは０、１及び２から選択された数字を表す。
【請求項１９】
一般式ＩのＲ１〜Ｒ３の各基が１〜４炭素原子を有する基であることを特徴とする請求項１８記載のタイヤ。
【請求項２０】
ゴム組成物をトレッドの構成に添加することを特徴とする請求項１８または１９記載のタイヤ。
【請求項２１】
少なくとも一種の機能化または変性されたジエンポリマー及び補強充填剤としてカーボンブラックまたはカーボンブラックとシリカの混合物を含むイオウ加硫可能なゴム組成物を含むタイヤトレッドであって、機能化または変性されたジエンポリマーが、アルコキシシラン誘導体で機能化または変性されたポリマーであり、さらに下記一般式Ｉで示されるアミンまたはイミン官能基を含む少なくとも一種のオルガノシラン化合物を含むことを特徴とするタイヤトレッド。
Ｚ−Ｒ１−Ｓｉ（ＯＲ２）３−ｎ（Ｒ３）ｎ          （Ｉ）
式中、Ｚは一級アミン官能基、環状であっても環状でなくてもよい二級アミン若しくはイミン官能基またはポリアミン基を表し；Ｒ１はアルキレン、アリーレン、アルクアリーレンまたはアラルキレン基を表し、Ｒ２及びＲ３はそれぞれ同一でも異なっていてもよく、アルキル、アリール、アルクアリールまたはアラルキル基を表し、Ｒ１〜Ｒ３の各基は１〜１２炭素原子を有し；ｎは０、１及び２から選択された数字を表す。
【請求項２２】
一般式ＩのＲ１〜Ｒ３の各基が１〜４炭素原子を有する基であることを特徴とする請求項２１記載のタイヤトレッド。